(57)【特許請求の範囲】
【請求項１】
複数個のビデオクリップと隣接するビデオクリップ間に配置された複数個のトランジションエフェクトとを含むビデオプロジェクトを編集するためのビデオ編集方法であって、
タイムラインと前記タイムラインに沿った複数個のトラックとを提供するステップと、
前記ビデオプロジェクトの前記ビデオクリップと前記トランジションエフェクトとを対応する前記トラックに挿入するステップと、
前記ビデオクリップと前記トランジションエフェクトとの開始タイミングおよび終了タイミングで前記タイムラインを複数個のセグメントに分割して、各セグメントを前記ビデオクリップと前記トランジションエフェクトとの識別可能な組み合わせに対応させるステップと、
前記各セグメントに対し、対応する前記ビデオクリップから引き出した限定数のサムネイルまたは対応する前記トランジションエフェクトを示すアイコンを前記各トラックに表示するステップとを含むビデオ編集方法。
【請求項２】
前記ビデオプロジェクトの少なくとも１個のビデオクリップが、さらに、バックグラウンドクリップ上に重ねるためのオーバーレイアトリビュートを含む請求項１に記載のビデオ編集方法。
【請求項３】
前記ビデオプロジェクトの少なくとも１個のビデオクリップが、さらに、対応する前記クリップのルートを確定するためのムービングパスアトリビュートを含む請求項１または２に記載のビデオ編集方法。
【請求項４】
前記ビデオプロジェクトの少なくとも１個のビデオクリップが、さらに、対応する前記クリップの質を向上させ改良するためのフィルタアトリビュートを含む請求項１ないし３のいずれかに記載のビデオ編集方法。
【請求項５】
前記限定数のサムネイルが対応する前記ビデオクリップから選択された限定数のフレームである請求項１ないし４のいずれかに記載のビデオ編集方法。
【請求項６】
複数個のビデオクリップと隣接するビデオクリップ間に配置された複数個のトランジションエフェクトとを含むビデオプロジェクトを編集するためのビデオ編集装置であって、
タイムラインと前記タイムラインに沿った複数個のトラックとを提供する手段と、
前記ビデオプロジェクトの前記ビデオクリップと前記トランジションエフェクトとを対応する前記トラックに挿入する手段と、
前記ビデオクリップと前記トランジションエフェクトとの開始タイミングおよび終了タイミングで前記タイムラインを複数個のセグメントに分割して、各セグメントを前記ビデオクリップと前記トランジションエフェクトとの識別可能な組み合わせに対応させる手段と、
前記各セグメントに対し、対応する前記ビデオクリップから引き出した限定数のサムネイルまたは対応する前記トランジションエフェクトを示すアイコンを前記各トラックに表示する手段とを含むビデオ編集装置。
【請求項７】
前記ビデオプロジェクトの少なくとも１個のビデオクリップが、さらに、バックグラウンドクリップ上に重ねるためのオーバーレイアトリビュートを含む請求項６に記載のビデオ編集装置。
【請求項８】
前記ビデオプロジェクトの少なくとも１個のビデオクリップが、さらに、対応する前記クリップのルートを確定するためのムービングパスアトリビュートを含む請求項６または７に記載のビデオ編集装置。
【請求項９】
前記ビデオプロジェクトの少なくとも１個のビデオクリップが、さらに、対応する前記クリップの質を向上させ改良するためのフィルタアトリビュートを含む請求項６ないし８のいずれかに記載のビデオ編集装置。
【請求項１０】
前記限定数のサムネイルが対応する前記ビデオクリップから選択された限定数のフレームである請求項６ないし９のいずれかに記載のビデオ編集装置。
【発明の詳細な説明】
【０００１】
【発明の属する技術分野】
本出願は、２００１年６月２８日出願の台湾出願第９０１１５８５８号を参照により組み込んでいる。
本発明は、ビデオプロジェクト編集装置および方法に関し、さらに詳細にはタイムラインおよびストーリーボードの編集方法の特性に関連するビデオプロジェクト編集装置および方法に関する。
【０００２】
【関連技術の説明】
過去において、フィルム編集者は、数本のテープを一つのビデオプログラムに編集するために多くのプロジェクタおよびクリッピング設備を使用しなければならなかった。最近のテクノロジーの進歩によって、フィルム編集者は、テープをコンピュータの記憶装置に記録することができるようになった。そして、デジタルフィルムを記録するためのデジタルカムコーダを直接使用することにより、ビデオ編集者は、コンピュータのビデオ編集ソフトウエアを介してビデオプログラムを製作することができる。したがって、ハードウエア設備の代わりにコンピュータを使用することによって、ビデオプログラムの編集がより簡便になり良好なフィルム効果(effect of film)が達成できるようになった。
【０００３】
現在用いられている編集ソフトウエアの中には、ビデオプログラムを編集するためのストーリーボードを使用する方法がある。
図１を参照して説明する。ビデオプログラムを編集するストーリーボードの使用者は、ビデオクリップ１０１、ビデオクリップ１０３、ビデオクリップ１０５およびビデオクリップ１０７の順序を決めて配列する。さらに、使用者は、ビデオクリップ１０１とビデオクリップ１０３との間にトランジションエフェクト１１１を挿入し、ビデオクリップ１０５とビデオクリップ１０７との間にトランジションエフェクト１１３を挿入する。このトランジションエフェクトは、２個のビデオクリップの間の移行(transition)が生じると、特別なトランジションエフェクトとなる。このエフェクトは、たとえば２個のビデオクリップを重ねたり、フィルムを上から下へ変えたりするなどの方法を用いて達成される。
【０００４】
しかしながら、ストーリーボードを用いてビデオプログラムを編集する方法には欠点がある。それは、２個のトラックのビデオクリップと１個のトランジションエフェクトとだけしか編集できないことである。すなわち、多数のトラックの編集はできない。
ビデオプログラムの編集システム、すなわちタイムライン表示方法によって、上記の問題点は改善できる。図２を参照して説明する。この図は、タイムラインの方法によってビデオプログラムを編集するシーンを示している。図２のスクリーン２０１は、タイムライン２０３で構成されており、多数のトラック、すなわちビデオトラックVA、トランジショントラックF/X、ビデオトラックVB、オーバーレイトラックV1、オーバーレイトラックV２などを含む。これらのトラックは、ビデオクリップ、トランジションエフェクトおよびオーバーレイオプション（たとえばタイトル情報、脚注など）をともなうビデオクリップを形成するためのものである。そして、これらのトラックの方向は、タイムライン２０３の方向に一致している。通常、ビデオクリップのトランジションエフェクトは、トランジショントラックF/X上で編集される。
【０００５】
図２において、使用者は、ビデオクリップ２０５、ビデオクリップ２０８、オーバーレイオプション２０９を有するビデオクリップ、オーバーレイオプション２１１を有するビデオクリップ、オーバーレイオプション２１３を有するビデオクリップ、トランジションエフェクト２０７などを上記のトラック内に加えて、これらのクリップの編集を進めることが知られている。
上記の通り、タイムラインの方法でビデオプログラムを編集することにより、マルチトラック編集が達成できる。そして、それにより、多数の変更可能なエフェクトを有するビデオプログラムが得られる。
【０００６】
しかしながら、この方法には欠点がある。図３を参照して説明する。図３において、ビデオクリップ３０５の長さは４０分なので、全てのビデオをフルスクリーンに表示すると、トランジションエフェクト３０３とオーバーレイオプションを有するビデオクリップ３０９とが縮小されてしまい、使用者が、マウスによってそれらを選択し編集することは容易ではない。このとき、使用者は、長さが縮小されたビデオクリップ、トランジションエフェクトまたはオーバーレイオプションを有するビデオクリップをクリックして、その編集を選択するために、タイムライン２０３の単位(unit)を小さくしなければならない。したがって、ビデオプログラム内に長時間のビデオクリップが存在する場合、使用者はビデオプログラムを編集するためにタイムライン２０３の単位をしばしば変更しなければならないことが知られている。このことは、使用者にとって極めて不便である。
【０００７】
【発明の概要】
したがって、本発明の目的は、使用者がマルチトラックビデオプログラム編集を実行できる、ビデオプロジェクトを編集するためのビデオ編集装置および方法を提供することである。ビデオクリップまたはトランジションエフェクトの長さが広範囲に変化する場合に、使用者はタイムラインの単位をたびたび変更する必要なしに、より短いトランジションエフェクトまたはビデオクリップを編集することができる。
【０００８】
本発明の目的は、ビデオプロジェクトを編集するためのビデオ編集装置および方法を提供することである。ビデオプロジェクトは、複数個のビデオクリップと隣接するビデオクリップ間に配置されたトランジションエフェクトとを含む。本発明は、まず、タイムラインとタイムラインに沿った多数のトラックとをたとえば表示ユニットの画面上に提供する。その後、ビデオクリップとトランジションエフェクトとを対応するトラックに挿入する。この挿入は、使用者により操作可能な操作入力装置（マウス、キーボードなど）からの指令に応答して動作するプロセシングユニットの働きによって達成されてもよい。
【０００９】
次に、ビデオクリップとトランジションエフェクトとの開始タイミングおよび終了タイミングでタイムラインを複数個のセグメントに分割して、各セグメントがビデオクリップとトランジションエフェクトとの識別できる組み合わせに対応できるようにする。たとえば、タイムラインのセグメントへの分割は、表示ユニットの画面上におけるセグメントの長さが、この長さ内に、ビデオクリップまたはトランジションエフェクトを使用者が識別できる形態で（たとえば、マウスによる選択が容易な程度に十分に大きく）表示できるように行われることが好ましい。複数のセグメントは、等しい時間長に対応している必要はない。これに対して、複数のセグメントは表示ユニットの画面上において等しい長さで表示されてもよい。また、たとえば、個々のビデオクリップを画面上において一定の長さで表示し、個々のトランジションエフェクトを画面上において別の一定の長さ（たとえば、ビデオクリップよりも短い長さ）で表示するようにしてもよい。
【００１０】
本発明はさらに、各セグメントに対し、対応するビデオクリップから引き出した限定数のサムネイルまたは対応するトランジションエフェクトを示すアイコンを各トラックに表示する。
本発明の目的、特徴および効果は、下記に示す好ましいが非限定的な実施形態の詳細な説明によって明らかになるであろう。
【００１１】
【発明の実施の形態】
以下、添付図面を参照して本発明の実施の形態について説明する。
本発明に開示されているビデオ編集装置および方法は、ビデオプロジェクトを編集するためのものである。このビデオプロジェクトは、数個のビデオクリップと、クリップの間に配置されたトランジションエフェクトとを含む。これらのトランジションエフェクトは、隣接するクリップを継ぎ合わせるとき、特別のビデオエフェクトになることができる。これらのビデオプロジェクトの少なくとも１個のビデオクリップは、オーバーレイアトリビュート、ムービングパスアトリビュートまたはフィルタアトリビュートを含む。オーバーレイアトリビュートは、ビデオクリップをバックグラウンドクリップ上に重ねるためのものである。ムービングパスアトリビュートは、対応するクリップのルートを確定する。さらに、フィルタアトリビュートは、対応するクリップの質を向上させ改良するためのものである。
【００１２】
次に図４を参照して述べる。図４は、本発明の好ましい実施形態に係るビデオプロジェクト編集のためのビデオ編集装置のブロック図である。図４に示されている通り、このビデオ編集装置は表示ユニット４０１、記憶ユニット４０２およびプロセシングユニット４０３を含む。表示ユニット４０１は、ビデオプロジェクトのビデオクリップとトランジションエフェクトとを表示するためのものである。また、記憶ユニット４０２は、ビデオクリップとトランジションエフェクトとを記憶するためのものである。
【００１３】
プロセシングユニット４０３は、表示ユニット４０１と保存ユニット４０２とにそれぞれ結合されており、本発明の好ましい実施形態であるビデオプロジェクト編集のためのビデオ編集方法を実施するためのものである。
次に図５および図６を参照する。図５は本発明の好ましい実施形態に係るビデオプロジェクト編集のためのビデオ編集方法のフローチャートであり、図６は、本発明の方法による表示ユニット４０１のスクリーン上おけるビデオプロジェクト編集を説明する図である。
【００１４】
本発明の方法は、まず、図５のステップ５０１から始まる。この方法は、表示ユニット４０１のスクリーン６０１上にタイムライン６０３とこのタイムライン６０３に沿った複数個のトラックとを提供する。これらのトラックは、ビデオトラックVA、トランジショントラックF/X、ビデオトラックVB、オーバーレイトラックV1、オーバーレイトラックV２などを含む。これらのトラックは、編集するためにビデオクリップとトランジションエフェクトとを保存する役割を果たし、トラックの方向はタイムラインの方向に沿っている。次に、この方法はステップ５０３に進む。
【００１５】
ステップ５０３で、プロセシングユニット４０３は、使用者がビデオクリップとトランジションエフェクトとを対応するスクリーン６０１上のトラック内に挿入するためのものである。ビデオクリップ６０５、ビデオクリップ６０７、ビデオクリップ６０９およびトランジションエフェクト６１１は、それぞれビデオトラックVA、ビデオトラックVB、オーバーレイトラックV1およびトランジショントラックF/Xに分けて挿入される。
【００１６】
次に、ステップ５０５において、ビデオクリップとトランジションエフェクトとの開始タイミングおよび終了タイミングで、タイムライン６０３を多数のセグメントに分割し、各セグメントをビデオクリップとトランジションエフェクトとの識別できる組み合わせ(a distinguishable combination of video clips and the transition effects)に対応させる。
同時に図６を参照して説明する。ビデオクリップとトランジションエフェクト６１１との開始タイミングおよび終了タイミングで、タイムライン６０３を５個のセグメント、すなわちセグメント６２１、セグメント６２２、セグメント６２３、セグメント６２４、およびセグメント６２５に分割する。ビデオプロジェクトの再生が開始されると、セグメント６２１のインタバルの間に、プロセシングユニット４０３はビデオクリップ６０５だけを再生する。そして、プロセシングユニット４０３は、セグメント６２２のインタバルの間に、ビデオクリップ６０５とトランジションエフェクト６１１とビデオクリップ６０７とを同時に再生する。次に、プロセシングユニット４０３は、セグメント６２３のインタバルの間にビデオクリップ６０７だけを再生し、そしてプロセシングユニット４０３は、セグメント６２４のインタバルの間にビデオクリップ６０７とビデオクリップ６０９とを同時に再生する。最後に、プロセシングユニット４０３は、セグメント６２５のインタバルの間にビデオクリップ６０９を再生する。
【００１７】
次に、ステップ５０７において、各セグメントに対し、対応するビデオクリップから限定数のサムネイルを引き出して（取り出して）対応するトラック上にビデオクリップの部分をシンボル化し、トランジションエフェクト６１１をアイコンで表示する。限定数のサムネイルは、対応するビデオクリップから取り出された限定数のフレームであってもよい。
図６に示されているように、ビデオクリップから取り出された１個のサムネイルは、各セグメントにおける対応ビデオクリップの部分をシンボル化するのに使用される。さらに、各セグメントにおけるビデオクリップの部分をシンボル化するために多数のサムネイルを使用できる。たとえば、３個のサムネイルがシンボル化に使用されるが、本発明はこの数に限定されるものではない。
【００１８】
次に図７を参照して説明する。図７は、本発明の方法によるビデオプロジェクト編集の他の説明図である。図７において、ビデオクリップ６０５のクリッピング部は、セグメント６２１において３個のサムネイルで表わされている。ステップ５０７が終了した後、もし使用者が編集を進行しなければ、プロセッシングユニット４０３はこの方法を終了する。編集を進行する場合には、ステップ５０９に進む。
【００１９】
ステップ５０９において、スクリーン６０１上のビデオクリップおよびトランジションエフェクトを修正できる。そして、方法はステップ５０５へ戻る。ステップ５０９において、使用者は、ビデオクリップまたはトランジションエフェクトを加えたり、削除したり、編集したりすることができる。この場合のビデオクリップまたはトランジションエフェクトの編集とは、スクリーン６０１上のビデオクリップまたはトランジションエフェクトのトラックまたは位置の変更を意味する。これは、ビデオクリップまたはトランジションエフェクトの再生順序または再生タイミングを変更することである。
【００２０】
上記の実施形態の説明により開示された本発明のビデオプロジェクトを編集するためのビデオ編集装置および方法は、下記の利点を有する。
１．使用者は、マルチトラックビデオプロジェクトを編集して、種々のビジョンエフェクトを得ることができる。
２．長いビデオクリップが存在する場合でも、使用者は、タイムラインのユニットを変更する必要はなく、クリックすることで、より短いビデオクリップまたはトランジションエフェクトを選択し編集することができる。このことは、使用者にとって極めて便利である。
【００２１】
具体例および好ましい実施形態を介して本発明を上記に説明したが、本発明はこれらに限定されるものではない。本発明は、種々の変更ならびに類似の構成および手順を含むことが意図されており、特許請求の範囲は、前記変更ならびに類似の構成および手順を包含できるように最も広い意味に解釈されるべきである。
【図面の簡単な説明】
【図１】従来のストーリーボードの方法によるビデオプログラム編集スクリーンの概略図である。
【図２】従来のタイムラインの方法によるビデオプログラム編集スクリーンの概略図である。
【図３】図２による長時間クリップを有するスクリーンの概略図である。
【図４】本発明の好ましい実施形態に係るビデオプロジェクト編集のためのビデオ編集装置のブロック図である。
【図５】本発明の好ましい実施形態に係るビデオプロジェクト編集のためのビデオ編集方法のフローチャートである。
【図６】本発明の方法によるビデオプロジェクトのスクリーン編集の概略図である。
【図７】本発明の方法によるビデオプロジェクトのスクリーン編集の他の概略図である。
【図１】
0003892342.tif 000002
【図２】
0003892342.tif 000003
【図３】
0003892342.tif 000004
【図４】
0003892342.tif 000005
【図５】
0003892342.tif 000006
【図６】
0003892342.tif 000007
【図７】
0003892342.tif 000008